(57)【要約】【課題】液晶プロジェクタによりホワイトボード上に投写したパソコンの映像とホワイトボード上の手書き画像を合成してパソコンに取り込むには、位置やサイズを調整しなければならないという問題があった。【解決手段】液晶プロジェクタにデジタルカメラを内蔵し、液晶プロジェクタ投写用レンズとデジタルカメラ用レンズを共用させることにより、液晶プロジェクタから出力されるパソコン映像の投写光とホワイトボードにマーカー等で手書きされた画像の合成画像の入射光が同じレンズを通ることになる。  従ってパソコン映像と手書きの画像を合成映像としてパソコンに取り込む際の位置やサイズの調整は不要となる。【効果】本発明により、ホワイトボード上に投写されたパソコン映像と手書きの画像をワンタッチでパソコンに取り込む事ができ、別途電子ボードやデジタルカメラを用意する必要がない。また、位置やサイズを調整する必要がないため、会議の準備等にかかる時間を短縮できる。【選択図】  図１
2004252118.tif 000002
【特許請求の範囲】
【請求項１】
液晶プロジェクタによりホワイトボードに投写したパソコンの映像とホワイトボードにマーカー等で書き込んだ手書き画像を液晶プロジェクタに内蔵したデジタルカメラにより位置やサイズを調整する必要なく合成して取り込む装置。
【請求項２】
請求項１を実現するためのカメラ内蔵液晶プロジェクタ装置。
【請求項３】
請求項１を実現するための投写用レンズとカメラ用レンズを共用化する装置。
【請求項４】
液晶プロジェクタによりホワイトボードに投写したパソコンの映像とホワイトボードにマーカー等で書き込んだ手書き画像を液晶プロジェクタに内蔵したデジタルカメラにより位置やサイズを調整する必要なく合成して取り込む方法。
【発明の詳細な説明】
【０００１】
【発明の属する技術分野】
プロジェクタにおける投影像の合成取込みシステムに関するものである。
【０００２】
【従来の技術】
液晶プロジェクタを用いてボード上に投写したパソコンの映像とマーカー等で書き込んだ手書き画像を合成してパソコンに取り込む方法としては、電子ボートシステムによる方法（特許文献１）、マルチメディアプロジェクタにおける投映像記憶システムによる方法（特許文献２）がある。
【０００３】
【特許文献１】
特開２０００−１７２４２２号公報
【特許文献２】
特開２００１−３１２００１号公報
【０００４】
【発明が解決しようとする課題】
しかしながら、上述の従来技術にはボード上の合成画像をパソコンに取り込む際、位置やサイズを調整しなければならないという問題があった。（特許文献１においては電子ボードに投写したパソコン映像位置と電子ペンの位置の調整が必要であり、特許文献２においては外部カメラで合成像を撮影する際に焦点や位置やサイズの調整が必要である。）
本発明は、液晶プロジェクタによりホワイトボードに投写されたパソコン映像と手書きの画像を位置やサイズの調整をすることなく、合成映像としてパソコンに取り込む方法、及びそのための装置を提供することを目的とする。
【０００５】
【課題を解決するための手段】
液晶プロジェクタにデジタルカメラを内蔵し、液晶プロジェクタ投写用レンズとデジタルカメラ用レンズを共用させた。
液晶プロジェクタ投写用レンズとデジタルカメラ用レンズを共用することにより、液晶プロジェクタから出力されるパソコン映像の投写光とホワイトボード上の合成画像の入射光が同じレンズを通ることになる。ホワイトボード上に投写されたパソコン映像は液晶プロジェクタのレンズにより焦点、位置、サイズを調整するため、同じレンズを通して内蔵デジタルカメラに入射した合成映像光は調整が不要である。
【０００６】
従って液晶プロジェクタによりホワイトボード上に投写されたパソコン映像と手書きの画像を合成映像としてデジタルカメラを通してパソコンに取り込む際の位置やサイズの調整は不要となる。
【０００７】
【発明の実施の形態】
以下、本発明の実施例を図１により説明する。図１は１実施例を示すシステム接続図である。図３はシステムの操作手順を示す。以下、図３に従い、説明する。パソコン映像信号はパソコン３のモニターＯＵＴ端子５からＲＧＢケーブル４を通りカメラ内蔵液晶プロジェクタ２のＲＧＢ入力端子８に送られる（ステップ３１）。
【０００８】
カメラ内蔵液晶プロジェクタ２に送られたパソコン映像信号は投写用レンズ６からホワイトボード１に投写される（ステップ３２）。投写されたパソコン映像にマーカーペン等で手書き画像を加える（ステップ３３）。パソコン映像と手書き画像は合成映像としてカメラ内蔵液晶プロジェクタのレンズの内側に配置されたデジタルカメラで撮影される（ステップ３４）。
【０００９】
その際、デジタルカメラ側で位置やサイズの調整は不要である。撮影された合成映像信号はビデオ出力端子７より出力され、ビデオケーブル９を通してビデオ入力端子１０からパソコンに取り込まれる（ステップ３５）。液晶プロジェクタで投写している間は内蔵デジタルカメラを動作させておく事により、常にパソコンに合成映像が送られるため、パソコン側では任意のタイミングで合成映像（静止画）を取り込み、保存、印刷が出来る（ステップ３６）。
【００１０】
図４はホワイトボードとパソコン画面の表示例を示す図である。以下、図５のフローチャートに従い、説明する。
パソコンモニター画面４１の信号をＲＧＢケーブル４に出力する（ステップ５１）。パソコンモニター画面は液晶プロジェクタによりホワイトボードに投影される。パソコン側でカメラ映像取込ボタン４２を押す（ステップ５２）ことにより、ホワイトボード上の合成映像４４がパソコンに取り込まれる（ステップ５３）。
【００１１】
パソコン側でカメラ映像切換ボタン４３を押す（ステップ５４）ことにより、パソコンに入力された合成映像４７がパソコンモニター画面４６内に表示される（ステップ５５）。保存ボタン４８を押す（ステップ５６）ことにより、合成映像がパソコンに保存される（ステップ５７）。また、印刷ボタン４９を押す（ステップ５８）ことにより、合成映像が印刷される（ステップ５９）。
【００１２】
図２はカメラ内蔵液晶プロジェクタ装置の内部構造図である。カメラ内蔵液晶プロジェクタ２は液晶プロジェクタ部電子回路１３と投写用ランプ１６と液晶ＬＥＤ１２、及び入射光屈折用プリズム１１とカメラ撮像素子１４とカメラ部電子回路１５を内蔵している。
【００１３】
ＲＧＢ入力端子８から入力されたパソコン映像信号は液晶プロジェクタ部電子回路１３を通して液晶ＬＥＤ１２で画像表示される。投写用ランプ１６から出た投写光は液晶ＬＥＤ１２を通って投影像となり、入射光屈折用プリズム１１、投写用レンズ６を通りホワイトボード１に投写される。
【００１４】
ホワイトボード上に投写されたパソコン映像と手書き画像は入射光としてレンズ６を通り入射光屈折用プリズム１１にて直角に屈折し、カメラ撮像素子１４に入射し、パソコン映像と手書き画像が合成された映像信号となる。この合成映像信号はカメラ部電子回路１５を通りビデオ出力端子７から出力される。
【００１５】
図６は位置やサイズの調整をしない状態でパソコンに取り込んだ場合の合成映像を従来の技術と本発明とで比較した１例である。従来の技術で調整をしない状態の合成映像６１では、手書き画像６２がずれているのに対し、本発明では調整をしなくても、手書き画像６４がずれないまま合成映像６３としてパソコンに取り込むことが出来る。
【００１６】
図７は本発明において、パソコンを２台使用した実施例である。パソコン映像出力用パソコン３ａから出力したパソコン映像信号がカメラ内蔵液晶プロジェクタ２によりホワイトボードに投写され、パソコン映像と手書き画像の合成映像がカメラ内蔵液晶プロジェクタ２で取り込まれ、合成映像取込用パソコン３ｂに送られる。合成映像取込用パソコン３ｂでは、常時合成映像を表示させておくことが出来るので、映像切換操作が不要となり、簡単に合成映像信号の保存、印刷が出来る。
【００１７】
【発明の効果】
本発明により、ホワイトボード上に投写されたパソコン映像と手書きの画像をワンタッチでパソコンに取り込む事ができる。また、カメラ内蔵液晶プロジェクタ装置があれば、別途電子ボードやデジタルカメラを用意する必要がない。また、ホワイトボード上の合成画像をパソコンに取り込む際、位置やサイズを調整する必要がないため、会議の準備等にかかる時間を短縮できる。
【図面の簡単な説明】
【図１】ホワイトボードとカメラ内蔵液晶プロジェクタとパソコンの接続図である。
【図２】カメラ内蔵液晶プロジェクタ装置の内部構造図である。
【図３】図１の操作手順を示す図である。
【図４】ホワイトボードとパソコン画面の表示例を示す図である。
【図５】図４を説明したフローチャートである。
【図６】位置やサイズの調整をしない状態でパソコンに取り込んだ場合の合成映像を従来の技術と本発明とで比較した１例である。
【図７】本発明において、パソコンを２台使用した実施例である。
【符号の説明】
１：ホワイトボード
２：カメラ内蔵液晶プロジェクタ
３：パソコン
４：ＲＧＢケーブル
５：モニターＯＵＴ端子
６：投写用レンズ
７：ビデオ出力端子
８：ＲＧＢ入力端子
９：ビデオケーブル
１０：ビデオ入力端子
【図１】
2004252118.tif 000003
【図２】
2004252118.tif 000004
【図３】
2004252118.tif 000005
【図４】
2004252118.tif 000006
【図５】
2004252118.tif 000007
【図６】
2004252118.tif 000008
【図７】
2004252118.tif 000009